(57)【特許請求の範囲】
【請求項１】
開口部端縁に環状パッドを取り付けた椀型ハウジングを一対、ヘッドバンドを介して連結して成り、少なくとも一方のハウジングに、緩衝材に支持された音響型スピーカーを配し、少なくとも一方のハウジングに、装着時において先端が、耳又はその周辺部に当接するように緩衝材に支持された骨伝導マイクロホンを配して成るイヤーマフタイプの双方向通話用ヘッドセットであって、
前記骨伝導マイクロホンは、前記ハウジングの開口面に対して直交方向に伸縮可能に支持され、
前記骨伝導マイクロホンを伸縮可能にするための構成は、前記ハウジングの内底面に形成された支持ベースと、前記緩衝材に形成された円孔内を前記支持ベースに支持されて摺動する外筒と、前記支持ベースと外筒との間に介装されて、前記外筒を定位置に復帰させるよう作用するスプリング等の弾性体と、前記外筒の端部内に嵌合される内筒とから成っていて、前記骨伝導マイクロホンを、前記外筒内に設置された防振用ウエイト及びこれに固定された弾性材を介して、前記内筒の先端部から露出するように保持するものであることを特徴とするイヤーマフタイプの双方向通話用ヘッドセット。
【請求項２】
開口部端縁に環状パッドを取り付けた椀型ハウジングを一対、ヘッドバンドを介して連結して成り、少なくとも一方のハウジングに、装着時において先端が、耳又はその周辺部に当接するように緩衝材に支持された骨伝導スピーカーを配し、少なくとも一方のハウジングに、装着時において先端が、耳又はその周辺部に当接するように緩衝材に支持された骨伝導マイクロホンを配したイヤーマフタイプの双方向通話用ヘッドセットであって、
前記骨伝導スピーカー及び／又は前記骨伝導マイクロホンは、前記ハウジングの開口面に対して直交方向に伸縮可能に支持され、
前記骨伝導マイクロホンを伸縮可能にするための構成は、前記ハウジングの内底面に形成された支持ベースと、前記緩衝材に形成された円孔内を前記支持ベースに支持されて摺動する外筒と、前記支持ベースと外筒との間に介装されて、前記外筒を定位置に復帰させるよう作用するスプリング等の弾性体と、前記外筒の端部内に嵌合される内筒とから成っていて、前記骨伝導マイクロホンを、前記外筒内に設置された防振用ウエイト及びこれに固定された弾性材を介して、前記内筒の先端部から露出するように保持するものであることを特徴とするイヤーマフタイプの双方向通話用ヘッドセット。
【発明の詳細な説明】
【技術分野】
【０００１】
本発明はイヤーマフタイプの双方向通話用ヘッドセット、より詳細には、特に高騒音下に晒される工事現場や災害現場、あるいは、作業場や飛行場等において、外部騒音に妨げられることなく、同時双方向通話又は交互双方向通話を行うことを可能にする、イヤーマフタイプの双方向通話用ヘッドセットに関するものである。
【背景技術】
【０００２】
従来、上記高騒音下において同時双方向通話又は交互双方向通話を行うためのヘッドセットとしては、開口部端縁に環状パッド３２を取り付けた密閉タイプの椀型ハウジング３１を一対、ヘッドバンド３３を介して連結して成り、少なくとも一方のハウジング３１に音響型スピーカー３４を配し、一方のハウジング３１に、口元まで延びる接話タイプのブームマイク３５を備え付けたものが多く用いられている（図５、実開昭６２−１８６５８５号公報等）。【０００３】
また、ブームマイク３５の代わりに骨伝導マイクロホン３６を用いるものもある。これは、ハウジング３１の一部を延長して形成した骨伝導マイクロホン設置用突部３５に骨伝導マイクロホン３６を埋設したものである（図６参照）。【０００４】
しかるに、上記ブームマイク３５を用いるタイプの場合は、ブームマイク３５のセット位置によって性能が変化しやすく、作業者がマスクを必要とするような環境においては使用できないという欠点がある。また、骨伝導マイクロホン３６を用いるタイプの場合は、骨伝導マイクロホン設置用突部３５が、遮音性のある環状パッド３２の外側に位置するので、外部騒音が混入し易いという欠点がある。【０００５】
【特許文献１】実開昭６２−１８６５８５号公報
【発明の開示】
【発明が解決しようとする課題】
【０００６】
上述したように、従来の同時双方向通話又は交互双方向通話を行うためのヘッドセットで、ブームマイクを用いるタイプの場合は、ブームマイクのセット位置によって性能が変化しやすく、作業者がマスクを必要とするような環境においては使用できないという欠点があり、骨伝導マイクロホンを用いるタイプの場合は、骨伝導マイクロホン設置用突部が遮音性のある環状パッドの外側に位置するために、外部騒音に対して不利となるという欠点があり、共に、高騒音下における双方向通話用に用いるヘッドセットとして問題があった。【０００７】
本発明は、上記従来の同時双方向通話又は交互双方向通話を行うためのヘッドセットが有していた問題点を解決すべくなされたもので、高騒音下において用いた場合において、外部騒音が混入するおそれのない、優れた遮音特性を有する同時双方向通話又は交互双方向通話を行うためのヘッドセットを提供することを課題とする。
【課題を解決するための手段】
【０００８】
上記課題を解決するための請求項１に記載の発明は、開口部端縁に環状パッドを取り付けた椀型ハウジングを一対、ヘッドバンドを介して連結して成り、少なくとも一方のハウジングに、緩衝材に支持された音響型スピーカーを配し、少なくとも一方のハウジングに、装着時において先端が、耳又はその周辺部に当接するように緩衝材に支持された骨伝導マイクロホンを配したことを特徴とするイヤーマフタイプの双方向通話用ヘッドセットである。【０００９】
そして、前記骨伝導マイクロホンは、前記ハウジングの開口面に対して直交方向に伸縮可能に支持される。前記骨伝導マイクロホンを伸縮可能にするための構成は、前記ハウジングの内底面に形成された支持ベースと、前記緩衝材に形成された円孔内を前記支持ベースに支持されて摺動する外筒と、前記支持ベースと外筒との間に介装されて、前記外筒を定位置に復帰させるよう作用するスプリング等の弾性体と、前記外筒の端部内に嵌合される内筒とから成っていて、前記骨伝導マイクロホンを、前記外筒内に設置された防振用ウエイト及びこれに固定された弾性材を介して、前記内筒の先端部から露出するように保持するものである。
【００１０】
上記課題を解決するための請求項２に記載の発明は、開口部端縁に環状パッドを取り付けた椀型ハウジングを一対、ヘッドバンドを介して連結して成り、少なくとも一方のハウジングに、装着時において先端が、耳又はその周辺部に当接するように緩衝材に支持された骨伝導スピーカーを配し、少なくとも一方のハウジングに、装着時において先端が、耳又はその周辺部に当接するように緩衝材に支持された骨伝導マイクロホンを配したことを特徴とするイヤーマフタイプの双方向通話用ヘッドセットである。
【００１１】
そして、前記骨伝導スピーカー及び／又は前記骨伝導マイクロホンは、前記ハウジングの開口面に対して直交方向に伸縮可能に支持される。前記骨伝導マイクロホンを伸縮可能にするための構成は、前記ハウジングの内底面に形成された支持ベースと、前記緩衝材に形成された円孔内を前記支持ベースに支持されて摺動する外筒と、前記支持ベースと外筒との間に介装されて、前記外筒を定位置に復帰させるよう作用するスプリング等の弾性体と、前記外筒の端部内に嵌合される内筒とから成っていて、前記骨伝導マイクロホンを、前記外筒内に設置された防振用ウエイト及びこれに固定された弾性材を介して、前記内筒の先端部から露出するように保持するものである。
【発明の効果】
【００１２】
本願発明は上述したとおりであって、マイクロホンとして外部騒音の影響を受けにくい骨伝導マイクロホンを用い、且つ、該骨伝導マイクロホンを遮音性のある環状パッドの内側のハウジング内に装備した構成であるため、高騒音下において用いた場合においても外部騒音が混入するおそれがなく、優れた遮音特性を発揮し、以て、高騒音下における同時双方向通話又は交互双方向通話を可能にする効果がある。
【発明を実施するための最良の形態】
【００１３】
本発明を実施するための最良の形態について、添付図面に依拠して説明する。本発明に係るイヤーマフタイプの双方向通話用ヘッドセットの第一の実施形態は、同時双方向通話用に構成したヘッドセットであって、図１に示されるように、開口部端縁に環状パッド２を取り付けた椀型ハウジング１を一対、ヘッドバンド３を介して連結して成り、少なくとも一方のハウジング１内に、緩衝材４に支持された音響型スピーカー５を配すると共に、少なくとも一方のハウジング１内に、装着時において先端が、耳又はその周辺部に当接するように緩衝材４に支持された骨伝導マイクロホン６を配して成る（配線の図示は省略してある）。ハウジング１は、一般のものと同様に、ヘッドバンド３の端部に揺動可能に取り付けられる。【００１４】
次に、図２を参照しつつ、ハウジング１の内部構成例について詳述する。通例、ハウジング１は、従来のものと同様の硬質樹脂製で、耳を覆い得る大きさの椀型に形成され、その内部に、その開口端から少し引っ込んだ位置まで緩衝材４が充填される。緩衝材４は、適度な硬さの発泡樹脂等の素材製であり、図示した例では、緩衝材４の周縁部が、ハウジング１の開口端部に嵌合された押さえリング７によって押さえ止められており、その押さえリング７上に環状パッド２が固定されている。なお、環状パッド２は、従来のものと同様の、遮音性を有していて圧潰・復元可能な発泡樹脂、ゴム等の資材製である。【００１５】
緩衝材４には、音響型スピーカー５と骨伝導マイクロホン６が埋設される。音響型スピーカー５は緩衝材４から突出させる必要はないが、骨伝導マイクロホン６は、緩衝材４の表面から突出させ、本ヘッドセット装着時においてその先端が、耳（耳珠その他各部を含む）２１又は耳周辺部に当接するように設置される必要がある。【００１６】
好ましくは、骨伝導マイクロホン６は、緩衝材４において伸縮可能に支持されるように構成される。即ち、非使用時においては、骨伝導マイクロホン６の先端が環状パッド２の外表面と同じかそれより少し突出し又は引っ込んだ位置にくるようにされ（伸状態）、使用時においては、骨伝導マイクロホン６の先端がそれが当接する耳又は耳周辺部に押されることで、その当接状態を維持したまま縮まるようにされる。【００１７】
骨伝導マイクロホン６を伸縮可能にするための構成は、例えば、図２に示すような、ハウジング１の内底面に形成された支持ベース８と、緩衝材４に形成された円孔９内を支持ベース８に支持されて摺動する外筒１１と、支持ベース８と外筒１１との間に介装されて外筒１１を定位置に復帰させるよう作用するスプリング等の弾性体１０と、外筒１１の端部内に嵌合される内筒１２とから成るものとすることができる。この構成の場合、骨伝導マイクロホン６は、外筒１１内に設置された防振用ウエイト１３及びこれに固定された弾性材１４を介して、内筒１２の先端部から露出するように保持される。その際の骨伝導マイクロホン６の先端は、環状パッド２の外表面と同じかそれより少し突出し又は引っ込んだ位置にくるように設定される。【００１８】
かかる構成の本ヘッドセットの場合、使用時には、ヘッドバンド３の弾性によってハウジング１が軽く頭側部に押し付けられ、環状パッド２が若干押し潰される結果、骨伝導マイクロホン６の先端部が耳２１又は耳周辺部に当たることになる。その際、骨伝導マイクロホン６の先端部はその当接部からの反作用で押されるが、弾性体１０が押し縮められることで骨伝導マイクロホン６は内方に変位し、耳２１又は耳周辺部に対して適度の接圧力を以て当接し続け、その使用可能状態を維持する（図３参照）。またその際、音響型スピーカー５は耳穴対応部に位置し、従来の場合と同様の方法で使用される。【００１９】
このように骨伝導マイクロホン６を伸縮可能構造とするメリットしては、装着者の皮膚にフィットし易くすること以外に、不要な振動のピックアップを減少させることができるという点を挙げることができる。即ち、大騒音となると、ハウジング１自体が振動を起こし、骨伝導マイクロホン６がその振動をピックアップするおそれがある。しかし、骨伝導マイクロホン６を、上記のように弾性体１０、防振用ウエイト１３及び弾性材１４を介しての伸縮可能構造とすることで、骨伝導マイクロホン６がハウジング１自体の振動をピックアップするおそれがなくなる。【００２０】
なお、図３では骨伝導マイクロホン６の当接位置の例を２個所示してあるが、骨伝導マイクロホン６の当接位置はその双方ではなく、そのいずれか一方である。この実施形態の場合、同一ハウジング内に配置されるスピーカーとマイクロホンによる同時双方向通話に際して発生するおそれのあるハウリングの問題は、スピーカーとして音響型（気導型）スピーカー５を採用し、これに骨伝導マイクロホン６を組み合わせることによって解決される。【００２１】
本発明に係るイヤーマフタイプの双方向通話用ヘッドセットの第二の実施形態は、交互双方向通話用のヘッドセットであって、周縁部に遮音性を有する環状パッド２を取り付けた椀型ハウジング１を一対、ヘッドバンド３を介して連結して成り、少なくとも一方のハウジング１内に、装着時において先端が耳２１又は耳周辺部に当接するように緩衝材４に支持される骨伝導スピーカー１５を配置すると共に、少なくとも一方のハウジング１に、装着時において先端が耳２１又は耳周辺部に当接するように緩衝材４に支持される骨伝導マイクロホン６を配置して成る。【００２２】
この第二の実施形態における骨伝導マイクロホン６は、上記第一の実施形態におけると同様の構成で、同様にして設置される。また、好ましくは骨伝導スピーカー１５も、骨伝導マイクロホン６と同様の伸縮可能構造にし、同様にして設置される。この場合は、骨伝導マイクロホン６と骨伝導スピーカー１５が共に、耳２１又は耳周辺部に当接することになる（図４参照）。好ましくは、例えば骨伝導スピーカー１５は耳珠２０に当接するように配置し、骨伝導マイクロホン６は骨伝導スピーカー１５から離れた位置に当接するように配置する。なお、図４では、骨伝導マイクロホン６の当接位置の例が２個所示されているが、骨伝導マイクロホン６の当接位置は、そのいずれか一方で骨伝導スピーカ１５から離れた位置となる。【００２３】
この実施形態の場合、同時双方向通話は難しいが、特に耳孔に防音用プラグを装着する等すれば、本ヘッドセットがイヤーマフタイプであることと相俟って、高騒音下における交互双方向通話が可能になる。【００２４】
以上いずれの実施形態においても、マイクロホンとして外部騒音の影響を受けにくい骨伝導マイクロホン６を用い、且つ、骨伝導マイクロホン６を遮音性のある環状パッド２の内側のハウジング１内に装備したイヤーマフ構造であるため、高騒音下において用いた場合においても外部騒音が混入するおそれがなく、優れた遮音特性を発揮し、以て、高騒音下における同時双方向通話又は交互双方向通話を行なうのに好適なヘッドセットが得られることになる。【００２５】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００２６】
【図１】本発明に係る双方向通話用ヘッドセットの第一の実施形態の斜視図である。
【図２】本発明に係る双方向通話用ヘッドセットの第一の実施形態の主要部の縦断面図である。
【図３】本発明に係る双方向通話用ヘッドセットの第一の実施形態の使用状態を示す図である。
【図４】本発明に係る双方向通話用ヘッドセットの第二の実施形態の使用状態を示す図である。
【図５】従来の双方向通話用ヘッドセットの一例を示す斜視図である。
【図６】従来の双方向通話用ヘッドセットの他の例を示す斜視図である。
【図１】
0005393688.tif 000002
【図２】
0005393688.tif 000003
【図３】
0005393688.tif 000004
【図４】
0005393688.tif 000005
【図５】
0005393688.tif 000006
【図６】
0005393688.tif 000007